(57)【要約】  【課題】  スイッチ摺動子の接点位置が変動して、接点切換パターンの設計が難しくなるし、必要以上の接点切換パターン面積が必要になる。  【解決手段】  スイッチ摺動子Ｓの荷重作用点を第１、第２、第３の支持片９Ａ、９Ｂ、９Ｃ上に置いて、第１、第２、第３の支持片９Ａ、９Ｂ、９Ｃの基部に、第１、第２、第３の支持片９Ａ、９Ｂ、９Ｃが撓む場合の支点Ｑを位置させ、第１、第２、第３の接点８Ａ、８Ｂ、８Ｃを接点切換パターンＰに摺接させるべく、スイッチ摺動子Ｓに摺動子保持部材１側から荷重が加えられた場合、このスイッチ摺動子Ｓの変位部分を第１、第２、第３の支持片９Ａ、９Ｂ、９Ｃの先部分のみにした。【選択図】  図１
2005135684.tif 000002
【特許請求の範囲】
【請求項１】
摺動子保持部材と、この摺動子保持部材に保持されたスイッチ摺動子と、前記摺動子保持部材の回転中心の回りに配置された接点切換パターンとを有していて、前記摺動子保持部材の回転により前記スイッチ摺動子を前記接点切換パターンに摺接させてスイッチ動作を行うようにした切換スイッチ装置であって、
前記スイッチ摺動子は環形状の摺動子本体を有し、この摺動子本体は、周方向に所定の間隔で形成された複数の支持片形成部と、隣り合う前記支持片形成部間に形成された接点形成部とを有しており、
前記接点形成部に前記接点切換パターンに接触する接点を設け、
前記支持片形成部のそれぞれに支持片を前記摺動子本体の中心に向って形成して、前記スイッチ摺動子の荷重作用点を前記支持片上に位置させ、前記支持片の基部に、これらの支持片が撓む場合の支点を位置させて、前記スイッチ摺動子に荷重が加えられた場合の前記スイッチ摺動子の変位部分が前記支持片の先部分になるようにしたことを特徴とする切換スイッチ装置。
【請求項２】
前記各接点形成部の中央の部位は前記支持片形成部に平行する平坦部になされていて、平坦部を挟んだ両側の部位を互いに反対方向に傾斜させて前記平坦部に前記支持片形成部に対して所定の段差を付けると共に、前記接点形成部に前記接点を設けたことを特徴とする請求項１に記載の切換スイッチ装置。
【請求項３】
前記支持片の先端部は、前記摺動子本体の中心において隙間を存して突合せてあり、これらの隙間が曲線形状をなしていることを特徴とする請求項１又は請求項２に記載の切換スイッチ装置。
【請求項４】
複数の前記接点のうちの一つは、前記スイッチ摺動子の前記中心までの距離が他の接点の前記中心までの距離より短くしてあって、前記一の接点の前記接点切換パターンへの摺接位置がずらしてあり、前記支持片の先端部間の前記隙間の一部に位置決め部が形成してあり、前記摺動子保持部材は位置決め用ボスを有していて、前記摺動子保持部材による前記スイッチ摺動子の保持時に、前記位置決め用ボスが前記位置決め部に挿入されて前記スイッチ摺動子が位置決めされることを特徴とする請求項３に記載の切換スイッチ装置。
【請求項５】
請求項１乃至請求項４のいずれかの一に記載の前記スイッチ切換装置を、時間目盛りや時、分、秒などの時間単位といった仕様を切り換える仕様切換装置に適用するようにしたことを特徴とする電子タイマ。
【発明の詳細な説明】
【技術分野】
【０００１】
本発明は、スイッチ摺動子の移動により接点切換パターン間の導通を切り換える切換スイッチ装置と、この切換スイッチ装置を設定値切換装置、例えば時間目盛りや時、分、秒などの時間単位といった設定値を切り換える装置に用いた電子タイマに関するものである。
【背景技術】
【０００２】
従来の切換スイッチ装置としては、図１３乃至図１５に示すものがある。この切換スイッチ装置は、摺動子保持部材１−１と、この摺動子保持部材１−１に保持されたスイッチ摺動子Ｓ−１と、プリント基板（図示せず）上に形成された接点切換パターン１００（図１５参照）とを備えている。
【０００３】
このスイッチ摺動子Ｓ−１は、図１３及び図１４に示すように、金属板を打ち抜き屈曲させて形成してあって、摺動子本体９０を有しており、この摺動子本体９０は周方向に１２０度の間隔で形成された第１、第２、第３の支持片９０Ａ、９０Ｂ、９０Ｃと、第１の支持片９０Ａと第２の支持片９０Ｂとの間の第１の接点形成部９１Ａと、第１の支持片９０Ａと第３支持片９０Ｃとの間の第２の接点形成部９１Ｂと、第２の支持片９０Ｂと第３の支持片９０Ｃ間の第３の接点形成部９１Ｃとを備えている。
【０００４】
第１、第２、第３の支持片９０Ａ、９０Ｂ、９０Ｃは、その外縁部９０ａから内縁部９０ｂまでのスパーンＬが短く、内縁部９０ｂの両側には突起部９０ｃが形成してあって、第１、第２、第３の支持片９０Ａ、９０Ｂ、９０Ｃの隣り合うものは突起部９０ｃを互いにつき合わせた状態で配置してあって、突起部９０ｃ間には直線状の隙間９５が形成してある。
【０００５】
第１の接点形成部９１Ａの中央の部位は、第１の支持片９０Ａに平行する平坦部９２Ａになされていて、この平坦部９２Ａに第１の接点９３Ａが形成してある。また、平坦部９２Ａを挟んだ両側の部位は互いに反対方向に傾斜している。
【０００６】
同様に、第２の接点形成部９１Ｂの中央の部位は、第２の支持片９０Ｂに平行する平坦部９２Ｂになされていて、この平坦部９２Ｂに第２の接点９３Ｂが形成してある。また、平坦部９２Ｂを挟んだ両側の部位は互いに反対方向に傾斜している。
【０００７】
また、第３の接点形成部９１Ｃの中央の部位は、第３の支持片９０Ｃに平行する平坦部９２Ｃになされていて、この平坦部９２Ｃに第３に接点９３Ｃが形成してある。また、平坦部９２Ｃを挟んだ両側の部位は互いに反対方向に傾斜している。
【０００８】
第１の接点９３Ａと第２の接点９３Ｂと第３の接点９３Ｃとは周方向に１２０度の間隔で存在しており、第１の接点９３Ａと第２の接点９３Ｂと第３の接点９３Ｃとは、摺動子本体９０の中心Ｏを中心とする半径Ｒの仮想円ハ上に位置している。そして、これらの第１、第２、第３の支持片９０Ａ、９０Ｂ、９０Ｃには挿入孔９４が形成してある。
【０００９】
そして、スイッチ摺動子Ｓ−１は、第１、第２、第３の支持片９０Ａ、９０Ｂ、９０Ｃの挿入孔９４に、摺動子保持部材１−１の３つの保持軸９６を挿入することで、この摺動子保持部材１−１に保持されている。
【００１０】
接点切換パターン１００は、図１５の（１）に示すように摺動子保持部材１−１の回転中心Ｐｈ（摺動子本体９０の中心Ｏ）の回りに形成された第１、第２、第３の導電パターンＰ１、Ｐ２、Ｐ３と第１、第２、第３の導電パターンＰ１、Ｐ２、Ｐ３の隣り合うものの間に配置された第１、第２、第３の絶縁パターンＰＺ１、ＰＺ２、ＰＺ３とを備えている。
【００１１】
そして、図１５の（１）〜図１５の（４）において矢印の先が第１、第２、第３の接点９３Ａ、９３Ｂ、９３Ｃを表しており、第１の導電パターンＰ１はＧＮＤにしてあり、第２の導電パターンＰ２はＤＶ０であり、第３の導電パターンＰ３はＤＶ１である。
【００１２】
図１５の（１）に示すように、第１の接点９３Ａが第１の導電パターンＰ１に接触し、第２の接点９３Ｂが第２の導電パターンＰ２に接触し、第３の接点９３Ｃが第３の導電パターンＰ３に接触した状態では、第２、第３の導電パターンＰ２、Ｐ３は共にＧＮＤである第１の導電パターンＰに導通してＤＶ０、ＤＶ１は共にＯＮになる。
【００１３】
摺動子保持部材１−１が回転して、図１５の（２）に示すように、第１の接点９３Ａが第２の導電パターンＰ２に接触し、第２の接点９３Ｂが絶縁パターンＰＺ２に接触し、第３の接点９３Ｃが第１の導電パターンＰ１に接触した状態では、第２の導電パターンＰ２がＧＮＤである第１の導電パターンＰ１に導通してＤＶ０はＯＦＦ、ＤＶ１はＯＮになる。
【００１４】
摺動子保持部材１−１がさらに回転して、図１５の（３）に示すように、第１の接点９３Ａが絶縁パターンＰＺ２に接触し、第２の接点９３Ｂが絶縁パターンＰＺ３に接触し、第３の接点９３Ｃが絶縁パターンＰＺ１に接触した状態では、第２、第３の導電パターンＰ２、Ｐ３は共にＧＮＤである第１の導電パターンＰに非導通になってＤＶ０、ＤＶ１は共にＯＦＦになる。
【００１５】
摺動子保持部材１−１がさらに回転して、図１５の（４）に示すように、第１の接点９３Ａが第３の導電パターンＰ３に接触し、第２の接点９３Ｂが第１の導電パターンＰ１に接触し、第３の接点９３Ｃが絶縁パターンＰＺ２に接触した状態では、第３の導電パターンＰ３がＧＮＤである第１の導電パターンＰ１に導通してＤＶ０はＯＮ、ＤＶ１はＯＦＦになる。
【００１６】
上記のように構成されたスイッチ切換装置は電子タイマの設定値切換装置、例えば時間目盛りや時、分、秒などの時間単位といった設定値を切り換える装置に適用されている。
【００１７】
この電子タイマの設定値切換装置（時間設定装置）として、限時時間を選択的に調整するツマミの軸部を挿通した歯車ボックスと、ツマミと歯車ボックスとの間に配置され、表面に目盛りを有し且つ適所に表示窓を設けた目盛り板と、この目盛り板と歯車ボックスとの間に配置され、レンジ設定操作で設定される限時時間に対応して目盛り板の表示窓から順次露出する複数の数字を表面に表記した文字板と、この文字板と歯車ボックスとの間に配置され、レンジ設定操作に連動して文字板を駆動する歯車機構とからなる電子タイマの仕様切換装置（時間設定装置）において、歯車機構のスイッチ歯車と文字板との対向面のいずれか一方に、スイッチ歯車の回動軸心から一定の距離だけ偏心した偏心突部を設け、且つ、残る他方に偏心突部に回動可能に係合する係合孔を設け、歯車ボックスと文字板との対向面のいずれか一方に、偏心突部の偏心距離を半径とする複数個の円環状ガイド溝を設け、且つ、残る他方に円環状ガイド溝に摺動可能に係合する複数本のガイド突起を設けると共に、偏心距離を半径とする円周上に配した表示窓に対応する複数個一組の時間表示用数字を文字板の表面に表記したものがある。
【００１８】
このタイマの設定値切換装置（時間設定装置）によれば、レンジ設定操作に連動して歯車機構のスイッチ歯車が回動すると、このスイッチ歯車に係合した文字板の各部分が偏心突部の偏心距離を半径とする円弧を描くように偏心回動する（特許文献１参照）。
【００１９】
この場合、スイッチ歯車の摺動子保持軸に保持されているスイッチ摺動子が接点切換パターン上を摺動して時間仕様の切換が行われる。
【特許文献１】特開平０４−３０３５３１号公報
【発明の開示】
【発明が解決しようとする課題】
【００２０】
しかしながら、上記した従来の切換スイッチ装置においては、第１、第２、第３の支持片９０Ａ、９０Ｂ、９０Ｃは、その外縁部９０ａから内縁部９０ｂまでのスパーンＬが短いために、スイッチ摺動子Ｓ−１の荷重作用点は第１、第２、第３の支持片９０Ａ、９０Ｂ、９０Ｃにあって、図１３に示すように、第１、第２、第３の支持片９０Ａ、９０Ｂ、９０Ｃの外縁部９０ａに、第１、第２、第３の支持片９０Ａ、９０Ｂ、９０Ｃが撓む場合の支点Ｑがあるために、第１、第２、第３の接点９３Ａ、９３Ｂ、９３Ｃを接点切換パターン１００に摺接させるべく、スイッチ摺動子Ｓ−１に荷重が加えられた場合に、このスイッチ摺動子Ｓ−１の変位は、第１、第２、第３の支持片９０Ａ、９０Ｂ、９０Ｃの全面（図１３の斜線部分）に及ぶことになる。
【００２１】
このために、接点位置が変動して、接点切換パターン１００の設計が難しくなるし、必要以上の接点切換パターン面積が必要になるという問題点があった。
【００２２】
また、荷重印加時のスイッチ摺動子Ｓ−１の撓み箇所が第１、第２、第３の支持片９０Ａ、９０Ｂ、９０Ｃの全面に及ぶために、荷重計算が複雑になるという問題点があった。
【００２３】
また、第１、第２、第３の支持片９０Ａ、９０Ｂ、９０Ｃの隣り合うものは、突起部９０ｃを互いに突き合わせた状態で配置してあって、突起部９０ｃ間には直線状の隙間９５が形成されている。
【００２４】
スイッチ摺動子Ｓ−１を摺動子保持部材１−１に組み付ける場合に、多数のスイッチ摺動子Ｓ−１を部品供給用ホッパー（図示せず）に入れて、この部品供給用ホッパーに振動を与えてスイッチ摺動子Ｓ−１を送り出すのであるが、上記したように第１、第２、第３の支持片９０Ａ、９０Ｂ、９０Ｃの先端部間の隙間９５が直線状であるために、これらの隙間９５に他のスイッチ摺動子Ｓ−１が差し込まれてスイッチ摺動子Ｓ−１同士が絡み合うという問題点があった。
【００２５】
本発明は、上記の問題点に着目してなされたものであって、その第１の目的とするところは、接点変動が抑えられて、接点切換パターンの設計が容易になるし、必要以上の接点切換パターン面積が不要になるばかりか、荷重計算が容易になり、また、設計精度が向上するし、荷重調整が容易になる切換スイッチ装置を提供することである。
【００２６】
また、本発明の第２の目的とするところは、設定値切換装置において、接点変動が抑えられて、接点切換パターンの設計が容易になるし、必要以上の接点切換パターン面積が不要になるばかりか、荷重計算が容易になり、また、設計精度が向上するし、荷重調整が容易になる電子タイマを提供することである。
【課題を解決するための手段】
【００２７】
上記した第１の目的を達成するために、本発明に係る切換スイッチ装置は、摺動子保持部材と、この摺動子保持部材に保持されたスイッチ摺動子と、摺動子保持部材の回転中心の回りに配置された接点切換パターンとを有していて、摺動子保持部材の回転によりスイッチ摺動子を接点切換パターンに摺接させてスイッチ動作を行うようにした切換スイッチ装置であって、スイッチ摺動子は環形状の摺動子本体を有し、この摺動子本体は、周方向に所定の間隔で形成された複数の支持片形成部と、隣り合う支持片形成部間に形成された接点形成部とを有しており、接点形成部に接点切換パターンに接触する接点を設け、支持片形成部のそれぞれに支持片を摺動子本体の中心に向って形成して、スイッチ摺動子の荷重作用点を支持片上に位置させて、支持片の基部に、これらの支持片が撓む場合の支点を位置させ、スイッチ摺動子に荷重が加えられた場合のスイッチ摺動子の変位部分が支持片の先部分になるようにしたことを特徴とする。
【００２８】
かかる構成により、スイッチ摺動子に摺動子保持部材側から荷重が加えられた場合、このスイッチ摺動子の変位は支持片の先部分のみとなる。
【００２９】
このために、接点変動が抑えられて、接点切換パターンの設計が容易になるし、必要以上の接点切換パターン面積が不要になる。
【００３０】
また、荷重印加時のスイッチ摺動子の撓み箇所が支持片の先部分のみとなるために、荷重計算が容易になり、また、設計精度が向上する。しかも、荷重調整は、支持片の幅を変更することで容易に可能になる。
【００３１】
また、本発明に係る切換スイッチ装置は、上記した本発明に係る切換スイッチ装置において、各接点形成部の中央の部位は支持片形成部に平行する平坦部になされていて、平坦部を挟んだ両側の部位を互いに反対方向に傾斜させて平坦部に支持片形成部に対して所定の段差を付けると共に、接点形成部に接点を設けたことを特徴とする。
【００３２】
かかる構成により、スイッチ摺動子の支持片の荷重作用点に作用した荷重は、接点形成部を介して平坦部から接点に作用するようになって、接点の接点切換パターンへの弾接を確実に行うことができる。
【００３３】
また、本発明に係る切換スイッチ装置は、上記した本発明に係る切換スイッチ装置において、支持片の先端部は、摺動子本体の中心において隙間を存して突合せてあり、これらの隙間が曲線形状をなしていることを特徴とする。
【００３４】
かかる構成により、スイッチ摺動子を摺動子保持部材の摺動子保持部に組み付ける場合に、多数のスイッチ摺動子を部品供給用ホッパーに入れて、この部品供給用ホッパーに振動を与えてスイッチ摺動子を送り出すのであるが、上記したように支持片の先端部間の隙間が曲線形状であるために、これらの隙間に他のスイッチ摺動子の摺動子本体が差し込まれることが無くなり、スイッチ摺動子同士が絡み合うということが無くなる。
【００３５】
また、本発明に係る切換スイッチ装置は、上記した本発明に係る切換スイッチ装置において、複数の接点のうちの一つは、スイッチ摺動子の中心までの距離が他の接点の中心までの距離より短くしてあって、一の接点の接点切換パターンへの摺接位置がずらしてあり、支持片の先端部間の隙間の一部に位置決め部が形成してあり、摺動子保持部材は位置決め用ボスを有していて、摺動子保持部材によるスイッチ摺動子の保持時に、位置決め用ボスが位置決め部に挿入されてスイッチ摺動子が位置決めされることを特徴とする。
【００３６】
かかる構成により、スイッチ摺動子の摺動子保持部材への組付けを確実に行うことができる。
【００３７】
また、上記の本発明の第２の目的を達成するために、本発明に係る電子タイマは、請求項１乃至請求項４のいずれかの一に記載のスイッチ切換装置を、時間目盛りや時、分、秒などの時間単位といった仕様を切り換える設定値切換装置に適用するようにしたことを特徴とする。
【００３８】
かかる構成により、設定値切換装置において、接点変動が抑えられて、接点切換パターンの設計が容易になるし、必要以上の接点切換パターン面積が不要になる。また、荷重印加時のスイッチ摺動子の撓み箇所が支持片の先部分のみとなるために、荷重計算が容易になり、また、設計精度が向上する。しかも、荷重調整は、支持片の幅を変更することで容易に可能になる。
【発明の効果】
【００３９】
本発明に係る切換スイッチ装置によれば、摺動子保持部材の摺動子保持部でスイッチ摺動子の支持片を保持していて、スイッチ摺動子の荷重作用点は支持片にあって、これらの支持片の基部に、支持片が撓む場合の支点があるために、接点を接点切換パターンに摺接させるべく、スイッチ摺動子に摺動子保持部材側から荷重が加えられた場合、このスイッチ摺動子の変位は支持片の先部分のみとなる。
【００４０】
このために、接点変動が抑えられて、接点切換パターンの設計が容易になるし、必要以上の接点切換パターン面積が不要になる。
【００４１】
また、荷重印加時のスイッチ摺動子の撓み箇所が支持片の先部分のみとなるために、荷重計算が容易になり、また、設計精度が向上する。しかも、荷重調整は、支持片の幅を変更することで容易に可能になる。
【００４２】
また、本発明に係る切換スイッチ装置によれば、スイッチ摺動子の支持片の荷重作用点に作用した荷重は、接点形成部を介して平坦部から接点に作用するようになって、接点の接点切換パターンへの弾接を確実に行うことができる。
【００４３】
また、本発明に係る切換スイッチ装置によれば、スイッチ摺動子を摺動子保持部材の摺動子保持部に組み付ける場合に、多数のスイッチ摺動子を部品供給用ホッパーに入れて、この部品供給用ホッパーに振動を与えてスイッチ摺動子を送り出すのであるが、上記したように支持片の先端部間の隙間が曲線形状であるために、これらの隙間に他のスイッチ摺動子の摺動子本体が差し込まれてスイッチ摺動子同士が絡み合うということが無くなる。
【００４４】
また、本発明に係る切換スイッチ装置によれば、スイッチ摺動子の摺動子保持部材への組付けを確実に行うことができる。
【００４５】
また、本発明に係る電子タイマによれば、仕様切換装置において、接点変動が抑えられて、接点切換パターンの設計が容易になるし、必要以上の接点切換パターン面積が不要になる。また、荷重印加時のスイッチ摺動子の撓み箇所が支持片の先部分のみとなるために、荷重計算が容易になり、また、設計精度が向上する。しかも、荷重調整は、支持片の幅を変更することで容易に可能になる。
【発明を実施するための最良の形態】
【００４６】
以下、本発明に係る切換スイッチ装置を図面に基づいて説明する。
【００４７】
図１は本発明に係るスイッチ切換装置の一部省略した分解状態の斜視図、図２は同スイッチ切換装置の摺動子保持部材における摺動子保持部の平面図、図３は同スイッチ切換装置のスイッチ摺動子の平面図、図４は同スイッチ摺動子の側面図、図５は接点切換パターンの構成説明図、図６の（１）〜（４）は本発明に係るスイッチ切換装置の動作を説明するための説明図である。
【００４８】
本発明に係る切換スイッチ装置は、図１に示すように、摺動子保持部材１と、この摺動子保持部材１に保持されたスイッチ摺動子Ｓと、プリント基板（図示せず）上に形成された接点切換パターンＰ（図５参照）とを備えている。
【００４９】
図１に示すように摺動子保持部材１の後部（図１において下部）には摺動子保持部２が設けてある。この摺動子保持部２は図２に示すように摺動子保持部材１の回転中心Ｐｈを中心とする仮想円上に１２０度間隔で位置する３つの保持軸２ａ、２ｂ、２ｃと、隣り合う保持軸２ａ、２ｂの中間に位置する位置決め用ボス２ｄとを有している。
【００５０】
スイッチ摺動子Ｓは、図１、図３及び図４に示すように、金属板を打ち抜き屈曲させて形成してあって、円環形状の摺動子本体４を有しており、この摺動子本体４は周方向に１２０度の間隔で形成された第１、第２、第３の支持片形成部５Ａ、５Ｂ、５Ｃと、第１の支持片形成部５Ａと第２の支持片形成部５Ｂとの間の第１の接点形成部６Ａと、第１の支持片形成部５Ａと第３の支持片形成部５Ｃとの間の第２の接点形成部６Ｂと、第２の支持片形成部５Ｂと第３の支持片形成部５Ｃとの間の第３の接点形成部６Ｃとを備えている。
【００５１】
第１、第２、第３の接点形成部６Ａ、６Ｂ、６Ｃはそれぞれに側面視でほぼＶ形状になされており、第１の接点形成部６Ａの中央の部位は第１の支持片形成部５Ａに平行する平坦部７Ａになされていて、この平坦部７Ａに第１の接点８Ａが形成してある。また、平坦部７Ａを挟んだ両側の部位は互いに反対方向に傾斜していて、平坦部７Ａには第１の支持片形成部５Ａに対して所定の段差が付けてある。
【００５２】
同様に、第２の接点形成部６Ｂの中央の部位は第２の支持片形成部５Ｂに平行する平坦部７Ｂになされていて、この平坦部７Ｂに第２の接点８Ｂが形成してある。また、平坦部７Ｂを挟んだ両側の部位は互いに反対方向に傾斜していて、平坦部７Ｂには第２の支持片形成部５Ｂに対して所定の段差が付けてある。
【００５３】
また、第３の接点形成部６Ｃの中央の部位は第３の支持片形成部５Ｃに平行する平坦部７Ｃになされていて、この平坦部７Ｃに第３に接点８Ｃが形成してある。また、平坦部７Ｃを挟んだ両側の部位は互いに反対方向に傾斜していて、平坦部７Ｃには第３の支持片形成部５Ｃに対して所定の段差が付けてある。
【００５４】
第１の接点８Ａと第２の接点８Ｂと第３の接点８Ｃとは周方向に１２０度の間隔で存在しており、第１の接点８Ａと第２の接点８Ｂとは、摺動子本体４の中心Ｏを中心とする半径Ｒ１の仮想円イ上に位置しており、第３の接点８Ｃは、摺動子本体４の中心Ｏを中心とする半径Ｒ２（例えば、Ｒ２＜Ｒ１）の仮想円ロ上に位置している。
【００５５】
第１、第２、第３の支持片形成部５Ａ、５Ｂ、５Ｃの内縁部には、第１の支持片形成部５Ａに対応させて第１の支持片９Ａが、第２の支持片形成部５Ｂに対応させて第２の支持片９Ｂが、第３の支持片形成部５Ｃに対応させて第３の支持片９Ｃがそれぞれに摺動子本体４の中心Ｏに向って形成してある。
【００５６】
これらの第１、第２、第３の支持片９Ａ、９Ｂ、９Ｃの先部には挿入孔１０がそれぞれに形成してある。また、図３に示すように、第１の支持片９Ａの先端部は、第１の支持片９Ａの軸線ａに対して第１の接点８Ａ方向にずれた頂部１１ａを有する山形状にしてあり、この山形状の両裾部には凹み１１ｂ、１１ｃが形成してある。
【００５７】
また、第２の支持片９Ｂの先端部は、第２の支持片９Ｂの軸線ｂに対して第３の接点８Ｃ方向にずれた頂部１２ａを有する山形状にしてあり、この山形状の両裾部には凹み１２ｂ、１２ｃが形成してあって、凹み１２ｃは２段にしてあり、直線部１２ｄを有している。
【００５８】
また、第３の支持片９Ｃの先端部は、第３の支持片９Ｃの軸線ｃに対して第２の接点８Ｂ方向にずれた頂部１３ａを有する山形状にしてあり、この山形状の両裾部には凹み１３ｂ、１３ｃが形成してあって、凹み１３ｃは２段にしてあり、直線部１３ｄを有している。
【００５９】
そして、第１、第２、第３の支持片９Ａ、９Ｂ、９Ｃは、それぞれの先端部を互いに突き合わせている。すなわち、第１の支持片９Ａの先端部の頂部１１ａが第２の支持片９Ｂの先端部の凹み１１ｂに近接しており、第２の支持片９Ｂの先端部の頂部１２ａが第３の支持片９Ｃの先端部の凹み１３ｂに近接しており、第３の支持片９Ｃの先端部の頂部１３ａが第１の支持片９Ａの先端部の凹み１１ｂに近接していて、先端部間には曲線形状の隙間１４が形成してある。そして、凹み１２ｃの直線部１２ｄと凹み１３ｃの直線部１３ｄとは互いに平行していて、これらの直線部１２ｄ、１３ｄ間が位置決め部１５にしてあり、この位置決め部１５は第３の接点８Ｃに対向している。
【００６０】
接点切換パターンＰは、図５に示すようにプリント基板上であって、摺動子保持部材１の回転中心Ｐｈの回りに形成された第１、第２、第３の導電パターンＰ１、Ｐ２、Ｐ３と第１、第２、第３の導電パターンＰ１、Ｐ２、Ｐ３の隣り合うものの間に配置された第１、第２、第３、第４の絶縁パターンＰＺ１、ＰＺ２、ＰＺ３、ＰＺ４とを備えており、第１の導電パターンＰ１は、回転中心Ｐｈを中心とした半径Ｒ１の仮想円ニ上に形成された円弧状の導電パターン部Ｐ１−１と、回転中心Ｐｈを中心とした半径Ｒ２（Ｒ２＜Ｒ１）の仮想円ホ上に形成された円弧状の導電パターン部Ｐ１−２とを連ねて構成してある。なお、ＰＺ５は停止用パターンである。
【００６１】
また、第２の導電パターンＰ２は、回転中心Ｐｈを中心とした半径Ｒ１の仮想円ニ上に形成された円弧状のパターンである。また、第３の導電パターンＰ３は、回転中心Ｐｈを中心とした半径Ｒ１の仮想円ニ上に形成された円弧状の導電パターン部Ｐ３−１と、回転中心Ｐｈを中心とした半径Ｒ２（Ｒ２＜Ｒ１）の仮想円ホ上に形成された円弧状の導電パターン部Ｐ３−２とを連ねて構成してある。
【００６２】
すなわち、第１の導電パターンＰ１の導電パターン部Ｐ１−１と、第２の導電パターンＰ２と、第３の導電パターンＰ３の導電パターン部Ｐ３−１とは回転中心Ｐｈを中心とした半径Ｒ１の仮想円ニ上に形成してあり、第１の導電パターンＰ１の導電パターン部Ｐ１−２と、第３の導電パターンＰ３の導電パターン部Ｐ３−２とは回転中心Ｐｈを中心とした半径Ｒ２（Ｒ２＜Ｒ１）の仮想円ホ上に形成してある。
【００６３】
そして、摺動子保持部材１の摺動子保持部２の３つの保持軸２ａ、２ｂ、２ｃを第１、第２、第３の支持片９Ａ、９Ｂ、９Ｃの挿入孔１０に挿入し、位置決め用ボス２ｄを位置決め部１５に挿入することで、摺動子保持部２はスイッチ摺動子Ｓを保持している。
【００６４】
上記したように、スイッチ摺動子Ｓの第１の接点８Ａと第２の接点８Ｂとは、摺動子本体４の中心Ｏを中心とする半径Ｒ１の仮想円イ上に位置しており、第３の接点８Ｃは、摺動子本体４の中心Ｏを中心とする半径Ｒ２（Ｒ２＜Ｒ１）の仮想円ロ上に位置しているし、第１の導電パターンＰ１の導電パターン部Ｐ１−１と、第２の導電パターンＰ２と、第３の導電パターンＰ３の導電パターン部Ｐ３−１とは回転中心Ｐｈを中心とする半径Ｒ１の仮想円ニ上に形成してあり、第１の導電パターンＰ１の導電パターン部Ｐ１−２と、第３の導電パターンＰ３の導電パターン部Ｐ３−２とは回転中心Ｐｈを中心とする半径Ｒ２（Ｒ２＜Ｒ１）の半径の仮想円ホ上に形成してある。
【００６５】
このために、スイッチ摺動子Ｓを接点切換パターンＰに摺動可能に圧接した状態では、摺動子本体４の中心Ｏと回転中心Ｐｈとが一致していて、第１の接点８Ａと第２の接点８Ｂとは、第１の導電パターンＰ１の導電パターン部Ｐ１−１と、第２の導電パターンＰ２と、第３の導電パターンＰ３の導電パターン部Ｐ３−１とに摺接するようになり、第３の接点８Ｃは、第１の導電パターンＰ１の導電パターン部Ｐ１−２と、第３の導電パターンＰ３の導電パターン部Ｐ３−２とに摺接するようになる。
【００６６】
また、第１の接点８Ａと第２の接点８Ｂとは、摺動子本体４の中心Ｏからの距離はＲ１であり、第３の接点８Ｃは、摺動子本体４の中心Ｏからの距離はＲ２（Ｒ２＜Ｒ１）であって、Ｒ２とＲ１との割合は、第１の接点８Ａと第２の接点８Ｂが±１５度回転した場合に、第３の接点８Ｃが±３０度回転するようにしてある。
【００６７】
そして、図５、図６の（１）〜図６の（４）において矢印の先が第１、第２、第３の接点８Ａ、８Ｂ、８Ｃを表しており、第１の導電パターンＰ１はＧＮＤにしてあり、第２の導電パターンＰ２はＤＶ０であり、第３の導電パターンＰ３はＤＶ１である。
【００６８】
図６の（１）に示すように、第１の接点８Ａが第１の導電パターンＰ１の導電パターン部Ｐ１−１に接触し、第２の接点８Ｂが第２の導電パターンＰ２に接触し、第３の接点８Ｃが第３の導電パターンＰ３の導電パターン部Ｐ３−２に接触した状態では、第２、第３の導電パターンＰ２、Ｐ３は共にＧＮＤである第１の導電パターンＰに導通してＤＶ０、ＤＶ１は共にＯＮになる。
【００６９】
摺動子保持部材１が回転して、図６の（２）に示すように、第１の接点８Ａが第２の導電パターンＰ２に接触し、第２の接点８Ｂが絶縁パターンＰＺ１に接触し、第３の接点８Ｃが第１の導電パターンＰ１の導電パターン部Ｐ１−２に接触した状態では、第２の導電パターンＰ２がＧＮＤである第１の導電パターンＰ１に導通してＤＶ０はＯＦＦ、ＤＶ１はＯＮになる。
【００７０】
摺動子保持部材１がさらに回転して、図６の（３）に示すように、第１の接点８Ａが絶縁パターンＰＺ１に接触し、第２の接点８Ｂが第３の導電パターンＰ３の停止パターンＰＺ５に接触し、第３の接点８Ｃが絶縁パターンＰＺ３に接触した状態では、第２、第３の導電パターンＰ２、Ｐ３は共にＧＮＤである第１の導電パターンＰに非導通になってＤＶ０、ＤＶ１は共にＯＦＦになる。
【００７１】
摺動子保持部材１がさらに回転して、図６の（４）に示すように、第１の接点８Ａが第３の導電パターンＰ３の導電パターン部Ｐ３−１に接触し、第２の接点８Ｂが第１の導電パターンＰ１の導電パターン部Ｐ１−１に接触し、第３の接点８Ｃが絶縁パターンＰＺ３に接触した状態では、第３の導電パターンＰ３がＧＮＤである第１の導電パターンＰ１に導通してＤＶ０はＯＮ、ＤＶ１はＯＦＦになる。
【００７２】
上記したように、本発明に係る切換スイッチ装置によれば、摺動子本体４の周方向に１２０度の間隔で形成された第１、第２、第３の支持片形成部５Ａ、５Ｂ、５Ｃの内縁部に、第１の支持片形成部５Ａに対応させて第１の支持片９Ａが、第２の支持片形成部５Ｂに対応させて第２の支持片９Ｂが、第３の支持片形成部５Ｃに対応させて第３の支持片９Ｃがそれぞれに摺動子本体４の中心Ｏに向って形成してあり、これらの第１、第２、第３の支持片９Ａ、９Ｂ、９Ｃの先部に挿入孔１０がそれぞれに形成してあって、これらの挿入孔１０に摺動子保持部２の３つの保持軸２ａ、２ｂ、２ｃを挿入し、位置決め用ボス２ｄを位置決め部１５に挿入することで、スイッチ摺動子Ｓが摺動子保持部２で保持されている。
【００７３】
すなわち、スイッチ摺動子Ｓの荷重作用点は第１、第２、第３の支持片９Ａ、９Ｂ、９Ｃの挿入孔１０の周囲にあって、図１に示すように、第１、第２、第３の支持片９Ａ、９Ｂ、９Ｃの基部に、第１、第２、第３の支持片９Ａ、９Ｂ、９Ｃが撓む場合の支点Ｑがあるために、第１、第２、第３の接点８Ａ、８Ｂ、８Ｃを接点切換パターンＰに摺接させるべく、スイッチ摺動子Ｓに摺動子保持部材１側から荷重が加えられた場合、このスイッチ摺動子Ｓの変位は、第１、第２、第３の支持片９Ａ、９Ｂ、９Ｃの先部分（図１の斜線部分）のみとなる。
【００７４】
このために、接点変動が抑えられて、接点切換パターンＰの設計が容易になるし、必要以上の接点切換パターン面積が不要になる。
【００７５】
また、上記したように、本発明に係る切換スイッチ装置によれば、荷重印加時のスイッチ摺動子Ｓの撓み箇所が第１、第２、第３の支持片９Ａ、９Ｂ、９Ｃの先部分（図１の斜線部分）のみになるために、荷重計算が容易になり、また、設計精度が向上する。しかも、荷重調整は、第１、第２、第３の支持片９Ａ、９Ｂ、９Ｃの幅を変更することで容易に可能になる。
【００７６】
また、本発明に係る切換スイッチ装置によれば、第１の支持片９Ａの先端部は、第１の支持片９Ａの軸線ａに対して第１の接点８Ａ方向にずれた頂部１１ａを有する山形状にしてあり、第２の支持片９Ｂの先端部は、第２の支持片９Ｂの軸線ｂに対して第３の接点８Ｃ方向にずれた頂部１２ａを有する山形状にしてあり、また、第３の支持片９Ｃの先端部は、第３の支持片９Ｃの軸線ｃに対して第２の接点８Ｂ方向にずれた頂部１３ａを有する山形状にしてあって、第１、第２、第３の支持片９Ａ、９Ｂ、９Ｃは、それぞれの先端部を互いに突き合わせている。
【００７７】
すなわち、図３に示すように、第１の支持片９Ａの先端部の頂部１１ａが第２の支持片９Ｂの先端部１２の凹み１１ｂに近接させてあり、第２の支持片９Ｂの先端部の頂部１２ａが第３の支持片９Ｃの先端部の凹み１３ｂに近接させてあり、第３の支持片９Ｃの先端部の頂部１３ａが第１の支持片９Ａの先端部の凹み１１ｂに近接させてあって、先端部間の隙間１４が曲線形状になっている。
【００７８】
スイッチ摺動子Ｓを摺動子保持部材１に組み付ける場合に、多数のスイッチ摺動子Ｓを部品供給用ホッパー（図示せず）に入れて、この部品供給用ホッパーに振動を与えてスイッチ摺動子Ｓを送り出すのであるが、上記したように第１、第２、第３の支持片９Ａ、９Ｂ、９Ｃの先端部間の隙間１４が曲線形状になっているために、これらの隙間１４に他のスイッチ摺動子Ｓの摺動子本体４が差し込まれなくなる。このために、スイッチ摺動子Ｓ同士が絡み合うということが無くなる。
【００７９】
また、上記したように、本発明に係る切換スイッチ装置によれば、スイッチ摺動子Ｓにおいて、第１の接点８Ａと第２の接点８Ｂとは、摺動子本体４の中心Ｏからの距離はＲ１であり、第３の接点８Ｃは、摺動子本体４の中心Ｏからの距離はＲ２（Ｒ２＜Ｒ１）であって、Ｒ２とＲ１との割合は、第１の接点８Ａと第２の接点８Ｂが±３０度回転した場合に、第３の接点８Ｃも±３０度回転するようにしてある。
【００８０】
このために、スイッチ摺動子Ｓの位置決め位置が決まってくることから、このスイッチ摺動子Ｓを位置決めするために、第２、第３の支持片９Ｂ、９Ｃの先端部間に第３の接点８Ｃに対向する位置決め用部１５を形成し、摺動子保持部材１の摺動子保持部２に位置決め用ボス２ｄを設けて、この位置決め用ボス２ｄを位置決め部１５に挿入することでスイッチ摺動子Ｓを位置決めするようにしてあり、スイッチ摺動子Ｓの組付けを確実に行うことができる。
【００８１】
上記のように構成されたスイッチ切換装置は電子タイマの仕様切換装置、例えば時間目盛りや時、分、秒などの時間単位といった仕様を切り換える装置に適用することができる。
【００８２】
なお。上記実施の形態においては、位置決め用ボス２ｄ及び位置決め部１５により摺動子保持部２に対するスイッチ摺動子Ｓの位置決めを行ったが、これに限定されるものでなく、例えば、摺動保持部材１のボス径を一箇所だけ異ならせることによって、摺動子保持部材２に対するスイッチ摺動子Ｓの位置決めを行うように構成してもよい。
【００８３】
次に、スイッチ切換装置を仕様切換装置に適用した電子タイマを図７乃至図１２を参照して説明する。
【００８４】
図７において、２１はタイマ本体を構成する筒形ケース、２２はベースであり、ベース２２はケース２１内に固定してある。２４はベース２２の内面に密着固定されたプリント基板であり、２５、２６はベース２２に対し直角に固定されたプリント基板であって、これらプリント基板２４、２５、２６は互いに電気的に結合している。
【００８５】
また、プリント基板２５、２６の前面部には係合孔２５ａ、２６ａが形成してあり、これらの係合孔２５ａ、２６ａにプリント基板２７が、その上、下部に設けた突起２７ａ、２７ｂを係合させ且つハンダ付けすることにより、プリント基板２７はプリント基板２５、２６に電気的に結合している。
【００８６】
プリント基板２７の前面には、その中央に摺動抵抗体２８が設けてあり、また、プリント基板２７には摺動子収納部材２９が回動可能に取付けてあって、この摺動子収納部材２９には摺動子２９Ａが設けてあり、この摺動子２９Ａが摺動抵抗体２８に常時摺接するようにしてある。
【００８７】
また、プリント基板２７の外周部には３個の支持孔Ｈ１、Ｈ２、Ｈ３が設けてある。支持孔Ｈ１の回りには動作モード切換用接点パターンＰＸが設けてあり、支持孔Ｈ２の回りには時間単位切換用接点パターンＰＹが設けてあり、支持孔Ｈ３の回りには時間目盛切換用接点パターンＰＺが設けてある。
【００８８】
時間単位切換用接点パターンＰＹ及び時間目盛切換用接点パターンＰＺは、上記したスイッチ切換装置の接点切換パターンＰと同構成である。
【００８９】
プリント基板２７の前面側には一定間隔をあけて樹脂製の歯車ボックス３０が配置してあり、この歯車ボックス３０の両側から後方に突設した保持片３１をプリント基板２７の両側の凹部２７ｂに係合させることにより歯車ボックス３０とプリント基板２７とが連結される。
【００９０】
また、歯車ボックス３０には、その中央に軸支用ボス３２が設けてあり、また、図７において上部には円環状のガイド溝部７１Ａを形成した突起部７１が、図７において右部には円環状のガイド溝部７２Ａを形成した突起部７２がそれぞれ設けてある。そして、軸支用ボス３２にはツマミ軸３３が回転自在に支承してあり、このツマミ軸３３の後面に突設した突起３４を摺動子収納部材２９に係合させることにより、ツマミ軸３３と摺動子収納部材２９とが一体的に回転するようになっている。
【００９１】
歯車ボックス３０には、限時動作や瞬時動作限時復帰、繰り返し動作などの動作モードを切換える動作モード用切換機構部Ｘと、時、分、秒などの時間単位を切換える時間単位用切換機構部Ｙと、時間目盛を切換える時間目盛用切換機構部Ｚとを有する仕様切換装置が設けてある。
【００９２】
動作モード用切換機構部Ｘは、ドライバーを差し込んで回動できる溝部３５Ａを有する動作モード切換用歯車３５と、この動作モード切換用歯車３５に噛合する接点切換歯車３６Ａを有する動作モード切換用スイッチボックス３６とを備えており、動作モード切換用歯車３５と動作モード切換用スイッチボックス３６とは共に歯車ボックス３０内に回動自在に収納される。
【００９３】
この動作モード切換用スイッチボックス３６の後部には摺動子保持部３６ａが設けてあり、この摺動子保持部３６ａは歯車ボックス３０を貫通して動作モード切換用スイッチ摺動子３７を保持しており、この動作モード切換用スイッチ摺動子３７が動作モード切換用接点パターンＰＸに摺動可能に圧接するようになっている。
【００９４】
動作モード切換用スイッチボックス３６の外周面部には９０度の間隔で噛合い凹部３８が形成してあり、これらの噛合い凹部３８は歯車ボックス３０に形成したラチェット爪（図示せず）に係合して９０度ごとに位置決めされるものである。動作モード切換用スイッチボックス３６の前面には動作モード仕様表示（図示せず）が印字してある。
【００９５】
時間単位用切換機構部Ｙは、図７乃至図９に示すように、ドライバーを差し込んで回動できる溝部４０Ａを有する時間単位切換用歯車４０と、この時間単位切換用歯車４０に噛合する接点切換歯車４１Ａを有する時間単位切換用スイッチボックス４１と、接点切換歯車４１Ａに噛合する表示歯車４２Ａを有する時間単位表示板４２と有しており、時間単位切換用歯車４０と時間単位切換用スイッチボックス４１と時間単位表示板４２とは共に歯車ボックス３０内に回動自在に収納される。
【００９６】
図１１に示すように、時間単位切換用スイッチボックス４１は、上記したスイッチ切換装置における摺動子保持部材１に相当するものであり、この時間単位切換用スイッチボックス４１の外周面部には９０度の間隔で噛合い凹部４６が形成してあり、これらの噛合い凹部４６は歯車ボックス３０に形成したラチェット爪（図示せず）に係合して９０度ごとに位置決めされるものである。
【００９７】
時間単位表示板４２には時（ｈｒｓ）、分（ｍｉｎ）、秒（ｓｅｃ）などの時間単位の文字（時間単位仕様表示）が印字してある。
【００９８】
時間単位切換用スイッチボックス４１の後部には摺動子保持部４３が設けてある。この摺動子保持部４３は、上記したスイッチ切換装置における摺動子保持部材１の摺動子保持部２に相当するものであり、図１２に示すように時間単位切換用スイッチボックス４１の軸心を中心とする仮想円上に１２０度間隔で位置する３つの保持軸４４ａ、４４ｂ、４４ｃと、隣り合う保持軸４４ｂ、４４ｃの中間に位置する位置決め用ボス４５とを有している。
【００９９】
摺動子保持部４３は時間単位切換用スイッチ摺動子４７を保持しており、この時間単位用スイッチ摺動子４７が時間単位切換用接点パターンＰＹに摺動可能に圧接されるようになっている。時間単位切換用スイッチ摺動子４７は上記したスイッチ切換装置におけるスイッチ摺動子Ｓと同構成であり、同じ符号を付して説明を省略する。
【０１００】
時間目盛用切換機構部Ｚは図７、図８及び図１０に示すように、ドライバーを差し込んで回動できる溝部５０Ａを有する時間目盛切換用歯車５０と、この時間目盛切換用歯車５０に噛合する接点切換歯車５１Ａを有する時間目盛切換用スイッチボックス５１と、時間目盛表示板５２とを有しており、時間目盛切換用歯車５０と時間目盛切換用スイッチボックス５１とは歯車ボックス３０内に回動自在に収納される。
【０１０１】
接点切換歯車５１Ａには、その回動中心から偏った位置に偏心突部５３が設けてある。また、時間目盛表示板５２は略ドーナッツ状円板からなるもので、切欠き部５４を有すると共に、その表面側に４組の時間表示用数字(0  0.5  1  1.5  2  2.5  3) 、( 0  2  4  6  8  10  12)、(0  0.2   0.4  0.6  0.8  1.0  1.2)、( 0  5  10  15  20  25  30) が印刷されている。
【０１０２】
さらに、図８に示すように、時間目盛表示板５２には、接点切換歯車５１Ａの偏心突部５３が回転可能に挿入される挿入孔５９が設けてある。
【０１０３】
時間目盛切換用スイッチボックス５１は、上記したスイッチ切換装置における摺動子保持部材１に相当するものであり、図１１に示すように、この時間目盛切換用スイッチボックス５１の外周面部には９０度の間隔で噛合い凹部５６が形成してあり、これらの噛合い凹部５６は歯車ボックス３０に形成したラチェット爪（図示せず）に係合して９０度ごとに位置決めされるものである。
【０１０４】
時間目盛切換用スイッチボックス５１の後部には摺動子保持部６０が設けてある。この摺動子保持部６０は、上記したスイッチ切換装置における摺動子保持部材１の摺動子保持部２に相当するものであり、図１２に示すように時間目盛切換用スイッチボックス５１の軸心を中心とする仮想円上に１２０度間隔で位置する３つの保持軸６１ａ、６１ｂ、６１ｃと、隣り合う保持軸６１ｂ、６１ｃの中間に位置する位置決め用ボス６２とを有している。
【０１０５】
摺動子保持部６０には時間目盛切換用スイッチ摺動子６３を保持しており、この時間目盛切換用スイッチ摺動子６３が時間目盛切換用接点パターンＰＺに摺動可能に圧接するようになっている。時間目盛切換用スイッチ摺動子６３は上記したスイッチ切換装置におけるスイッチ摺動子Ｓと同構成であり、同じ符号を付して説明を省略する。
【０１０６】
そして、歯車ボックス３０の前側には蓋プレート６４が嵌めてある。この蓋プレート６４には、その中央にツマミ軸用孔部７３が形成してあり、また、蓋プレート６４には、ツマミ軸用孔部７３の上方及び両側方に位置させて円孔７４、７５、７６が形成してあり、また、蓋プレート６４には、その上部の左右及び下辺部に切欠き部７７、７８、７９が形成してあり、また、下部の左右に開口部８０、８１が形成してある。
【０１０７】
そして、ツマミ軸用孔部７３にはツマミ軸３３が回転可能に貫通しており、円孔７４にはガイド溝部７１Ａを形成した突起部７１が、円孔７５にはガイド溝部７２Ａを形成した突起部７２がそれぞれ挿入してあり、円孔７６には時間目盛表示板５２の偏心突部５３が挿入してあり、切欠き部７８には動作モード用切換機構部Ｘの動作モード切換用歯車３５が位置しており、また、開口部８０には時間単位用切換機構部Ｙの時間単位切換用歯車４０の溝部４０Ａ部分が位置しており、また、開口部８１には時間目盛用切換機構部Ｚの時間目盛切換用歯車５０の溝部５０Ａ部分が位置している。
【０１０８】
蓋プレート６４の前方には時間目盛表示板５２が配置して有り、この時間目盛表示板５２の挿入孔５９に偏心突部５３が回転可能に挿入してあり、また、時間目盛表示板５２の内孔５２Ａには軸支用ボス３２が内接しており、時間目盛表示板５２の裏面に設けた一方のガイド突起（図示せず）が一方のガイド溝部７１Ａに挿入してあり、他方のガイド突起（図示せず）が他方のガイド溝部７２Ａに挿入してある。
【０１０９】
目盛り板８２は、歯車ボックス３０に組み付けられる略正方形状の板材であり、その中央部にはツマミ軸３３を挿通する軸孔８２Ａを有し、これを中心として放射状に目盛り８２Ｂが設けてある。また、時間表示用数字に対応する表示窓８３が目盛り８２Ｂの近傍に設けてある。さらに、目盛り板８２の角部には、動作モード切換用歯車３５を回動させて動作モード表示を切り換えるための調整孔８４及び表示窓８４Ａ、時間単位切換用歯車４０を回動させて時間単位表示を切り換えるための調整孔８５及び表示窓８５Ａ、時間目盛切換用歯車５０を回動させて時間目盛表示を切り換えるための調整孔８６がそれぞれ設けてある。
【０１１０】
８７はツマミであり、このツマミ８７の内面には指針８８が取付けてあり、ツマミ８７の中央孔８７Ａに取付ねじ部材８９を挿通してツマミ８７をツマミ軸３３に螺合することにより、ツマミ８７はツマミ軸３３に固定される。
【０１１１】
次に、上記構成からなる電子タイマにおいて、その仕様切換装置の動作を説明する。
【０１１２】
まず、ドライバーを調整孔８４から溝部３５Ａに差し込み、このドライバーを回転して動作モード切換用歯車３５を回転して、表示窓８４Ａに動作モード仕様表示、例えばＡを表示する。
【０１１３】
次に、ドライバーを調整孔８５から溝部４０Ａに差し込み、このドライバーを回転して時間単位切換用歯車４０を回転し、接点切換歯車４１Ａを介して時間単位切換用スイッチボックス４１を回転させ、表示歯車４２Ａを介して時間単位表示板４２を回転させて表示窓８５Ａに時間単位仕様表示、例えば分（ｍｉｎ）を表示する。この場合、時間単位切換用スイッチボックス４１の摺動子保持軸４３に保持されている時間単位切換用スイッチ摺動子４７が時間単位切換用接点パターンＰＹ上を、図６の（１）〜図６の（４）のように摺動して分（ｍｉｎ）に相当する時間単位仕様の切換が行われる。
【０１１４】
また、時間単位切換用スイッチボックス４１の外周面部の９０度の間隔で形成された噛合い凹部４６にラチェット爪が係合して９０度ごとに位置決めされる。
【０１１５】
次に、ドライバーを調整孔８６から溝部５０Ａに差し込み、このドライバーを回転して時間目盛切換用歯車５０を回転し、接点切換歯車５１Ａを介して時間目盛切換用スイッチボックス５１を回転させると共に、時間目盛表示板５２を支軸用ボス３２回りに揺動回転させて、表示窓８３に時間仕様表示、例えば(0  0.5  1  1.5  2  2.5  3)を表示する。この場合、時間目盛切換用スイッチボックス５１の摺動子保持部６０に保持されている時間目盛切換用スイッチ摺動子６３が時間目盛切換用接点パターンＰＺ上を、図６の（１）〜図６の（４）のように摺動して、例えば(0  0.5  1  1.5  2  2.5  3)に相当する時間仕様の切換が行われる。
【０１１６】
また、時間目盛切換用スイッチボックス５１の外周面部の９０度の間隔で形成された噛合い凹部５６にラチェット爪に係合して９０度ごとに位置決めされる。
【０１１７】
次に、ツマミ８７を所望の時間目盛まで回すことによりツマミ８７と一体に摺動子収納部材２９も回動し、この摺動子収納部材２９に収納された摺動子２９Ａが摺動抵抗体２８上を摺動して、所望の抵抗値にセットされる。これによって時間設定が完了し、電源を投入することにより、この電子タイマは設定された仕様で動作する。
【０１１８】
本発明に係る電子タイマによれば、仕様切換装置において、接点変動が抑えられて、接点切換パターン（時間単位切換用接点パターンＰＹ、時間目盛切換用接点パターンＰＺ）の設計が容易になるし、必要以上の接点切換パターン面積が不要になる。また、荷重印加時のスイッチ摺動子（時間単位切換用スイッチ摺動子４７、時間目盛切換用スイッチ摺動子６３）の撓み箇所が支持片９Ａ、９Ｂ、９Ｃの先部分のみとなるために、荷重計算が容易になり、また、設計精度が向上する。しかも、荷重調整は、支持片９Ａ、９Ｂ、９Ｃの幅を変更することで容易に可能になる。
【産業上の利用可能性】
【０１１９】
本発明に係るスイッチ切換装置は、接点変動が抑えられて、接点切換パターンの設計が容易になるし、必要以上の接点切換パターン面積が不要になるばかりか、荷重計算が容易になり、また、設計精度が向上するし、荷重調整が容易になるという効果を有し、スイッチ摺動子の移動により接点切換パターン間の導通を切り換える切換スイッチ装置や、この切換スイッチ装置を仕様切換装置、例えば時間目盛りや時、分、秒などの時間単位といった仕様を切り換える装置に用いた電子タイマ等として有用である。
【図面の簡単な説明】
【０１２０】
【図１】本発明に係るスイッチ切換装置の一部省略した分解状態の斜視図である。
【図２】同スイッチ切換装置の摺動子保持部材における摺動子保持部の平面図である。
【図３】同スイッチ切換装置におけるスイッチ摺動子の平面図である。
【図４】同スイッチ摺動子の側面図である。
【図５】接点切換パターンの構成説明図である。
【図６】（１）〜（４）は本発明に係るスイッチ切換装置の動作を説明するための説明図である。
【図７】本発明に係る電子タイマの分解状態の斜視図である。
【図８】同電子タイマの仕様切換装置の正面図である。
【図９】同仕様切換装置における時間単位用切換機構部の側面図である。
【図１０】同仕様切換装置における時間目盛用切換機構部の側面図である。
【図１１】同仕様切換装置における摺動子保持機構部の分解状態の斜視図である。
【図１２】摺動子保持部の平面図である。
【図１３】従来の切換スイッチ装置の一部省略した斜視図である。
【図１４】同切換スイッチ装置におけるスイッチ摺動子の平面図である。
【図１５】（１）〜（４）は従来例におけるスイッチ切換装置の動作を説明するための説明図である。
【符号の説明】
【０１２１】
１      摺動子保持部材
２      摺動子保持部
２ａ    保持軸
２ｂ    保持軸
２ｃ    保持軸
２ｄ    位置決め用ボス
４      摺動子本体
５Ａ    第１の支持片形成部
５Ｂ    第２の支持片形成部
５Ｃ    第３の支持片形成部
６Ａ    第１の接点形成部
６Ｂ    第２の接点形成部
６Ｃ    第３の接点形成部
７Ａ    平坦部
７Ｂ    平坦部
７Ｃ    平坦部
８Ａ    第１の接点
８Ｂ    第２の接点
８Ｃ    第３の接点
９Ａ    第１の支持片
９Ｂ    第２の支持片
９Ｃ    第３の支持片
１０    挿入孔
１１ａ  頂部
１２ａ  頂部
１３ａ  頂部
１４    隙間
１５    位置決め用部
４０    時間単位切換用歯車
４１    時間単位切換用スイッチボックス
４１Ａ  接点切換歯車
４２    時間単位表示板
４２Ａ  表示歯車
４３    摺動子保持部
４４ａ  保持軸
４４ｂ  保持軸
４４ｃ  保持軸
４５    位置決め用ボス
４７    時間単位切換用スイッチ摺動子
５０    時間目盛切換用歯車
５０Ａ  接点切換歯車
５１    時間目盛切換用スイッチボックス
５１Ａ  接点切換歯車
６０    摺動子保持部
６１ａ  保持軸
６１ｂ  保持軸
６１ｃ  保持軸
６２    位置決め用ボス
６３    時間目盛切換用スイッチ摺動子
Ｑ      支点
Ｓ      スイッチ摺動子
ＰＹ    時間単位切換用接点パターン
ＰＺ    時間目盛切換用接点パターン
Ｐ      接点切換パターン
Ｙ      時間単位用切換機構部
Ｚ      時間目盛用切換機構部
【図１】
2005135684.tif 000003
【図２】
2005135684.tif 000004
【図３】
2005135684.tif 000005
【図４】
2005135684.tif 000006
【図５】
2005135684.tif 000007
【図６】
2005135684.tif 000008
【図７】
2005135684.tif 000009
【図８】
2005135684.tif 000010
【図９】
2005135684.tif 000011
【図１０】
2005135684.tif 000012
【図１１】
2005135684.tif 000013
【図１２】
2005135684.tif 000014
【図１３】
2005135684.tif 000015
【図１４】
2005135684.tif 000016
【図１５】
2005135684.tif 000017